(57)【要約】      （修正有）【課題】ディスクドライブ等電子装置を筐体に、組立や修理の容易性を確保して固定する、固定機構を提供する。【解決手段】筐体２８に設けられ、筐体との間に第二電子装置１６を第一電子装置１４の上に収容する第二収容空間を形成する可撓性固定蓋３０とを含む。当該筐体は、第一電子装置を収容する第一収容空間が形成された底座と、底座の一側に連結し、第一電子装置を底座に設けるときに第一電子装置の第一固定孔にはめ込まれる突起を有する第一側板と、底座の第一側板に連結する側の反対側に連結している第二側板とを備える。当該可撓性固定蓋は基板と、基板の一端に連結して第一側板を係合するための第一係合部と、基板の前記第一係合部に連結する端の反対端に連結して第二側板を係合するための第二係合部とを備える。【選択図】図１
0003149246.tif 000002
【実用新案登録請求の範囲】
【請求項１】
電子装置を固定する固定機構であって、
第一電子装置を収容する第一収容空間が形成された底座と、
前記底座の一側に連結し、前記第一電子装置を前記底座に設けるときに前記第一電子装置の第一固定孔にはめ込まれる突起を有する第一側板と、
前記底座の前記第一側板に連結する側の反対側に連結している第二側板とを備える筐体と、
前記筐体に設けられ、前記筐体との間に第二電子装置を前記第一電子装置の上に収容する第二収容空間を形成し、
基板と、
前記基板の一端に連結し、前記第一側板を係合するための第一係合部と、
前記基板の前記第一係合部に連結する端の反対端に連結し、前記第二側板を係合するための第二係合部とを備える可撓性固定蓋とを含む、固定機構。
【請求項２】
前記固定機構は更に、
前記第二係合部と前記第二側板の間に設けられ、前記第二係合部で固定片を前記第二側板に固定するときに前記第一電子装置の第二固定孔と前記第二電子装置の第三固定孔にはめ込まれる第一挿入部材と第二挿入部材を備える固定片を含む、請求項１に記載の固定機構。
【請求項３】
前記第一挿入部材と前記第二挿入部材はピンである、請求項２に記載の固定機構。
【請求項４】
前記第二側板には案内孔が形成されており、前記固定片は当該案内孔に対応する案内部材を含み、当該案内部材は当該案内孔にはめ込まれ前記固定片を前記第二側板に固定する、請求項２に記載の固定機構。
【請求項５】
前記第一側板は止め具を含み、当該止め具は前記第二電子装置を止めて筐体に位置決める、請求項１に記載の固定機構。
【請求項６】
前記固定片と前記可撓性固定蓋は一体成形で製作される、請求項２に記載の固定機構。
【請求項７】
前記突起はピンである、請求項１に記載の固定機構。
【請求項８】
前記第一側板は位置決め棒を含み、当該位置決め棒は、前記固定機構をフレームに固定するときに、当該フレームの位置決め孔にはめ込まれる、請求項１に記載の固定機構。
【請求項９】
電子装置を固定するためのホルディングモジュールであって、
位置決め孔が形成されたフレームと、
第一固定孔と第二固定孔が形成された第一電子装置と、
第二電子装置と、
前記第一電子装置と前記第二電子装置を前記フレーム内に固定する固定機構とを含み、前記固定機構は、
前記第一電子装置を収容する第一収容空間が形成された底座と、
前記底座の一側に連結し、前記第一電子装置を前記底座に設けるときに前記第一電子装置の前記第一固定孔にはめ込まれる突起を有する第一側板と、
前記底座の前記第一側板に連結する側の反対側に連結している第二側板とを備える筐体と、
前記筐体に設けられ、前記筐体との間に前記第二電子装置を前記第一電子装置の上に収容する第二収容空間を形成し、
基板と、
前記基板の一端に連結し、前記第一側板を係合するための第一係合部と、
前記基板の前記第一係合部に連結する端の反対端に連結し、前記第二側板を係合するための第二係合部とを備える可撓性固定蓋とを含む、ホルディングモジュール。
【請求項１０】
前記ホルディングモジュールは更に、
前記第二係合部と前記第二側板の間に設けられ、前記第二係合部で固定片を前記第二側板に固定するときに前記第一電子装置の第二固定孔と前記第二電子装置の第三固定孔にはめ込まれる第一挿入部材と第二挿入部材を備える固定片を含む、請求項９に記載のホルディングモジュール。
【請求項１１】
前記第一挿入部材と前記第二挿入部材はピンである、請求項１０に記載のホルディングモジュール。
【請求項１２】
前記第二側板には案内孔が形成されており、前記固定片は当該案内孔に対応する案内部材を含み、当該案内部材は当該案内孔にはめ込まれ前記固定片を前記第二側板に固定する、請求項１０に記載のホルディングモジュール。
【請求項１３】
前記第一側板は止め具を含み、当該止め具は前記第二電子装置を止めて筐体に位置決める、請求項９に記載のホルディングモジュール。
【請求項１４】
前記固定片と前記可撓性固定蓋は一体成形で製作される、請求項１０に記載のホルディングモジュール。
【請求項１５】
前記突起はピンである、請求項９に記載のホルディングモジュール。
【請求項１６】
前記第一側板は位置決め棒を含み、当該位置決め棒は、前記固定機構を前記フレームに固定するときに、前記フレームの前記位置決め孔にはめ込まれる、請求項９に記載のホルディングモジュール。
【請求項１７】
前記第一電子装置はカードリーダーまたはフロッピー（登録商標）ディスクドライブ（ＦＤＤ）である、請求項９に記載のホルディングモジュール。
【請求項１８】
前記第二電子装置は光ディスクドライブ（ＯＤＤ）またはハードディスクドライブ（ＨＤＤ）である、請求項９に記載のホルディングモジュール。
【考案の詳細な説明】
【技術分野】
【０００１】
本考案は固定機構とそれに関するホルディングモジュールに関し、特に電子装置を固定する固定機構及びそれに関するホルディングモジュールに関する。
【背景技術】
【０００２】
コンピュータは一般に、データ保存、ビデオ鑑賞、ディスク書き込みなど強力かつ多様な機能を支えるので、ＣＰＵ（中央処理装置）、マザーボード、電源、インターフェイスカード、ディスクドライブなど多数の部品を含んでいる。そのため、コンピュータを組み立てるとき、各部品の取り付けに手間がかかり、特にネジを必要とする部品の取り付けは不便である。例えば、光ディスクドライブ（ＯＤＤ）をコンピュータの筐体に取り付けるとき、ＯＤＤを筐体に設けられるＯＤＤ対応のスロットにはめ込み、ＯＤＤの側辺にあるネジ穴をスロットの穴に合わせ、ドライバーなどの道具でネジをスロットの穴に螺合させてＯＤＤを筐体に固定しなければならない。また、ＯＤＤに故障が生じれば、前述と逆な複雑な手順でＯＤＤを筐体から外さなければならず、筐体に複数のディスクドライブを取り付ける場合はもっと手間がかかる。したがって、螺合による装着方法はコンピュータの組み立てや修理にとって不便であり、筐体へのディスクドライブの取り付けを容易にすることは、機構設計上重要な課題である。
【考案の開示】
【課題を解決するための手段】
【０００３】
本考案では、電子装置を固定する固定機構を開示する。当該固定機構は筐体と、筐体に設けられ、筐体との間に第二電子装置を第一電子装置の上に収容する第二収容空間を形成する可撓性固定蓋とを含む。前記筐体は、第一電子装置を収容する第一収容空間が形成された底座と、前記底座の一側に連結し、前記第一電子装置を前記底座に設けるときに前記第一電子装置の第一固定孔にはめ込まれる突起を有する第一側板と、前記底座の前記第一側板に連結する側の反対側に連結している第二側板とを備える。前記可撓性固定蓋は、基板と、前記基板の一端に連結し、前記第一側板を係合するための第一係合部と、前記基板の前記第一係合部に連結する端の反対端に連結し、前記第二側板を係合するための第二係合部とを備える。
【０００４】
本考案では更に、電子装置を固定するためのホルディングモジュールを開示する。当該ホルディングモジュールは、位置決め孔が形成されたフレームと、第一固定孔と第二固定孔が形成された第一電子装置と、第二電子装置と、前記第一電子装置と前記第二電子装置を前記フレーム内に固定する固定機構とを含む。前記固定機構は筐体と、筐体に設けられ、筐体との間に前記第二電子装置を前記第一電子装置の上に収容する第二収容空間を形成する可撓性固定蓋とを含む。前記筐体は、前記第一電子装置を収容する第一収容空間が形成された底座と、前記底座の一側に連結し、前記第一電子装置を前記底座に設けるときに前記第一電子装置の前記第一固定孔にはめ込まれる突起を有する第一側板と、前記底座の前記第一側板に連結する側の反対側に連結している第二側板とを備える。前記可撓性固定蓋は、基板と、前記基板の一端に連結し、前記第一側板を係合するための第一係合部と、前記基板の前記第一係合部に連結する端の反対端に連結し、前記第二側板を係合するための第二係合部とを備える。
【考案を実施するための最良の形態】
【０００５】
かかる装置の特徴を詳述するために、具体的な実施例を挙げ、図示を参照して以下に説明する。
【０００６】
図１を参照する。図１は本考案によるホルディングモジュール１０の素子分解図である。ホルディングモジュール１０はフレーム１２と、第一電子装置１４と、第二電子装置１６と、固定機構１８とを含む。フレーム１２には位置決め孔２０が形成されており、第一電子装置１４には第一固定孔２２と第二固定孔２４が形成されており、第二電子装置１４には第三固定孔２６が形成されている。第一電子装置１４は例えばフロッピー（登録商標）ディスクドライブ（ＦＤＤ）、ＯＤＤ、または他の記憶装置であり、第二電子装置１６はハードディスクドライブ（ＨＤＤ）、ＯＤＤ、または他の記憶装置である。図２を参照する。図２は図１に示す固定機構１８の拡大図である。固定機構１８は第一電子装置１４と第二電子装置１６をフレーム１２に固定するのに用いられ、筐体２８と、可撓性固定蓋３０と、固定片３２とを含む。筐体２８は底座３４と、第一側板３６と、第二側板３８とを含む。底座３４、第一側板３６、及び第二側板３８はともに第一電子装置１４を収容する第一収容空間３９を形成している。底座３４の一側に連結している第一側板３６は、突起４０と、止め具４２と、位置決め棒４４を含む。突起４０は、第一電子装置１４を底座３４に取り付けるときに第一電子装置１４の第一固定孔２２にはめられるものであり、望ましくはピンである。止め具４２は第二電子装置１６を止めて筐体２８に位置決め、位置決め棒４４はフレーム１２の位置決め孔２０にはめられ固定機構１８をフレーム１２に固定する。第二側板３８は底座３４の第一側板３６に連結する側の反対側に連結しており、その上には案内孔４６が形成されている。
【０００７】
前記可撓性固定蓋３０は筐体２８に設けられ、筐体２８との間に第二収容空間４７を形成している。第二収容空間４７は、図３に示す第一電子装置１４の上方にある設置空間であり、第二電子装置１６を収容して第一電子装置１４の上に固定するために用いられる。可撓性固定蓋３０は基板４８と、第一係合部５０と、第二係合部５２とを含む。基板４８の一端に連結している第一係合部５０は、第一側板３６を係合するために用いられる。第二係合部５２は基板４８の第一係合部５０に連結する端の反対端に連結しており、第二側板３８を係合するために用いられる。固定片３２は第二係合部５２と第二側板３８の間に設けられ、第一挿入部材５４と、第二挿入部材５６と、案内部材５８とを含む。第一挿入部材５４と第二挿入部材５６は、第二係合部５２で固定片３２を第二側板３８に固定するときに、それぞれ第一電子装置１４の第二固定孔２４及び第二電子装置１６の第三固定孔２６にはめられる。図２に示すように、第一挿入部材５４と第二挿入部材５６は望ましくはピンである。案内部材５８は第二側板３８の案内孔４６にはめられ、固定片３２を第二側板３８に固定する。
【０００８】
以下にホルディングモジュール１０の組み立てと取り外しについて詳述する。図１、図２、及び図３を参照する。第一電子装置１４を底座３４の第一収容空間３９に取り付けるとき、まず第一電子装置１４を、底座３４、第一側板３６、及び第二側板３８からなる第一収容空間３９にはめ込む。その過程において第一電子装置１４の第一固定孔２２を第一側板３６の突起４０に合わせ、第一電子装置１４を第一収容空間３９に取り付けると同時に、第一側板３６の突起４０を第一電子装置１４の第一固定孔２２にはめ、第一電子装置１４を底座３４に固定する。図１、図２、及び図４を参照する。図４は図１に示す第一電子装置１４と第二電子装置１６を筐体２８に取り付けた状態を表す説明図である。第一電子装置１４を底座３４の第一収容空間３９に固定した後、第二電子装置１６を第一電子装置１４の上の第二収容空間４７に取り付け、第一側板３６の止め具４２で衝止して第二電子装置１６を第一電子装置１４の上に位置決める。図１、図２、及び図５を参照する。図５は固定片３２で第一電子装置１４と第二電子装置１６を筐体２８に固定した状態を表す説明図である。第二電子装置１６を第一電子装置１４の上に設けた後、固定片３２の案内部材５８と第二側板３８の案内孔４６が係合しているので、固定片３２の第一挿入部材５４と第二挿入部材５６をそれぞれ第一電子装置１４の第二固定孔２４と第二電子装置１６の第三固定孔２６を挿入することが容易になり、第一電子装置１４と第二電子装置１６は固定片３２の第一挿入部材５４と第二挿入部材５６による軸方向の固定力で筐体２８に固着される。図１、図６、及び図７を参照する。図６は図１に示す可撓性固定蓋３０で第一電子装置１４と第二電子装置１６を筐体２８に固定した状態を表す説明図であり、図７は図１に示すホルディングモジュール１０を表す説明図である。図６に示すように、前記手順を順次完成させた後、可撓性固定蓋３０の第一係合部５０で筐体２８の第一側板３６を係合し、更に第二係合部５２で固定片３２を第二側板３８に係合する。そうすると固定機構１８では、可撓性固定蓋３０と筐体２８からなる第一収容空間３９と第二収容空間４７で第一電子装置１４と第二電子装置１６をそれぞれ収容できる。組み立てる過程において、第一側板３６の突起４０を第一電子装置１４の第一固定孔２２と係合し、固定片３２の第一挿入部材５４を第一電子装置１４の第二固定孔２４と係合し、固定片３２の第二挿入部材５６を第二電子装置１６の第三固定孔２６と係合し、更に可撓性固定蓋３０を筐体２８と係合すれば、第一電子装置１４と第二電子装置１６を筐体２８に固定することができる。最後に第一電子装置１４、第二電子装置１６、及び固定機構１８の組み立てを完成させた後、図７に示す矢印方向に沿って第一電子装置１４と第二電子装置１６が設けられた固定機構１８をフレーム１２にはめ込み、位置決め棒４４がフレーム１２の位置決め孔２０に差し込まれるまで押し、ホルディングモジュール１０の組み立てを完成させる。
【０００９】
それに反して、第一電子装置１４と第二電子装置１６が設けられた固定機構１８をフレーム１２から取り外しようとするときは、第一側板３６の位置決め棒４４を動かしフレーム１２の位置決め孔２０から外し、図７に示す矢印と逆方向に固定機構１８を押し出してフレーム１２から取り外す。その後、可撓性固定蓋３０の第二係合部５２を第二側板３８から離れる方向に外し、可撓性固定蓋３０と筐体２８の係合を解除して固定片３２を第二側板３８から外し、第二電子装置１６と第一電子装置１４を筐体２８から取り出し、ホルディングモジュール１０の取り外しを完成させる。
【００１０】
注意すべきは、前記実施例に述べた電子装置の固定孔、側板の突起、及び固定片の挿入部材の数量は前述に限らない。言い換えれば、その数量が増えても可能である。例えば、第一側板３６の突起４０を２つ設け、第一挿入部材５４と第二挿入部材５６をそれぞれ２つ設けることができる。この場合、第一電子装置１４と第二電子装置１６を固定機構１８内に固定するために、突起と挿入部材の数量に応じて第一固定孔２２、第二固定孔２４、及び第三固定孔２６を増設すべきである。また、可撓性固定蓋３０と固定片３０も前掲設計に限らない。言い換えれば、固定片３２と可撓性固定蓋３０を一体成形で製作し、単一の部品として統合することができる。例えば、固定片３２の第一挿入部材５４と第二挿入部材５６を可撓性固定蓋３０の第二係合部５２に設けるとすれば、可撓性固定蓋３０の第二係合部５２を筐体２８の第二側板３８に係合すると同時に、第一挿入部材５４と第二挿入部材５６はそれぞれ第一電子装置１４の第二固定孔２４と第二電子装置の第三固定孔２６にはめ込まれる。したがって、組み立ての手順を簡素化して部品の製作コストを削減することができる。
【００１１】
電子装置を螺合する従来の方法に比べて、本考案によるホルディングモジュールは、固定片の挿入部材と筐体の突起を対応する電子装置の固定孔に係合し、更に可撓性固定蓋を筐体の両側に係合することで、電子装置を固定する。したがって、本考案は電子装置の組立時間を削減し、電子装置の部品取替の便利性を向上させることができる。
【００１２】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【図面の簡単な説明】
【００１３】
【図１】本考案によるホルディングモジュールの素子分解図である。
【図２】図１に示す固定機構の拡大図である。
【図３】図１に示す第一電子装置を筐体に取り付けた状態を表す説明図である。
【図４】図１に示す第一電子装置と第二電子装置を筐体に取り付けた状態を表す説明図である。
【図５】図１に示す固定片で第一電子装置と第二電子装置を筐体に固定した状態を表す説明図である。
【図６】図１に示す可撓性固定蓋で第一電子装置と第二電子装置を筐体に固定した状態を表す説明図である。
【図７】図１に示すホルディングモジュールを表す説明図である。
【符号の説明】
【００１４】
１０    ホルディングモジュール
１２    フレーム
１４    第一電子装置
１６    第二電子装置
１８    固定機構
２０    位置決め孔
２２    第一固定孔
２４    第二固定孔
２６    第三固定孔
２８    筐体
３０    可撓性固定蓋
３２    固定片
３４    底座
３６    第一側板
３８    第二側板
３９    第一収容空間
４０    突起
４２    止め具
４４    位置決め棒
４６    案内孔
４７    第二収容空間
４８    基板
５０    第一係合部
５２    第二係合部
５４    第一挿入部材
５６    第二挿入部材
５８    案内部材
【図１】
0003149246.tif 000003
【図２】
0003149246.tif 000004
【図３】
0003149246.tif 000005
【図４】
0003149246.tif 000006
【図５】
0003149246.tif 000007
【図６】
0003149246.tif 000008
【図７】
0003149246.tif 000009